(57)【要約】【課題】  広告宣伝効果の向上を図ること。【解決手段】  ウェブサイトが公開の対象とするユーザの特性を表すサイト属性データを記憶し、ネットワークを介して接続されたユーザ端末を管理するユーザの特性を表すユーザ属性データを記憶し、広告データを配信する業者の宣伝対象に対するコメントをユーザ属性データに基づいてユーザ端末に対して要求すると共に当該ユーザ端末から返信されたコメントデータにユーザ属性データを関連付けて記憶するコメントデータ収集手段と、コメントデータに関連付けられているユーザ属性データに含まれるユーザ特性と一致する情報を含むサイト属性データを抽出してこの抽出されたサイト属性データに対応するウェブサイトに当該ウェブサイト上に表示する広告データとしてコメントデータを配信する広告配信手段と、を備えた。【選択図】図１
2005284113.tif 000002
【特許請求の範囲】
【請求項１】
複数のウェブサイトに表示される広告データを当該ウェブサイトに配信する広告配信手段を備えた広告配信システムにおいて、
前記ウェブサイトが閲覧されることを希望するユーザの特性を表すサイト属性データを記憶するサイト属性データ記憶手段と、
ネットワークを介して接続されたユーザ端末を管理するユーザの特性を表すユーザ属性データを記憶するユーザ属性データ記憶手段と、
前記広告データを配信する業者の宣伝対象に対するコメントを、前記ユーザ属性データに基づいて前記ユーザ端末に対して要求すると共に、当該ユーザ端末から返信されたコメントデータに前記ユーザ属性データを関連付けて記憶するコメントデータ収集手段と、を備え、
前記広告配信手段は、前記コメントデータに関連付けられている前記ユーザ属性データに含まれるユーザ特性と一致する情報を含む前記サイト属性データを抽出して、この抽出されたサイト属性データに対応するウェブサイトに当該ウェブサイト上に表示する広告データとして前記コメントデータを配信する機能を有する、
ことを特徴とする広告配信システム。
【請求項２】
複数のウェブサイトに表示される広告データを当該ウェブサイトに配信する広告配信手段を備えた広告配信システムにおいて、
前記ウェブサイトが閲覧されることを希望するユーザの特性を表すサイト属性データを記憶するサイト属性データ記憶手段と、
前記広告データを配信する業者の宣伝対象に対するコメントを、ネットワークを介して接続されたユーザ端末に対して要求して、当該ユーザ端末から返信されたコメントデータを受信すると共に、当該コメントデータを返信したユーザの特性を表すユーザ属性データを前記ユーザ端末から取得して前記コメントデータに関連付けて記憶するコメントデータ収集手段と、を備え、
前記広告配信手段は、前記コメントデータに関連付けられている前記ユーザ属性データに含まれるユーザ特性と一致する情報を含む前記サイト属性データを抽出して、この抽出されたサイト属性データに対応するウェブサイトに当該ウェブサイト上に表示する広告データとして前記コメントデータを配信する機能を有する、
ことを特徴とする広告配信システム。
【請求項３】
前記広告配信手段は、前記コメントデータ収集手段にて収集されたコメントデータのうち、外部入力により選択されたコメントデータのみを広告データとして配信する、ことを特徴とする請求項１又は２記載の広告配信システム。
【請求項４】
前記広告配信手段にて配信する広告データに含まれるコメントデータに、当該コメントを発したユーザの特性を表す前記ユーザ属性データを含める、ことを特徴とする請求項１，２又は３記載の広告配信システム。
【請求項５】
前記広告配信手段は、前記コメントデータを複数含んだ前記広告データを配信する、ことを特徴とする請求項１，２，３又は４記載の広告配信システム。
【請求項６】
前記広告配信手段から前記広告データを配信され当該広告データを表示するウェブサイトを開設するウェブサーバを備え、
前記ウェブサーバは、予め定められたコメント表示領域内において前記コメントデータをスクロールさせて表示する機能を有する、ことを特徴とする請求項１，２，３，４又は５記載の広告配信システム。
【請求項７】
前記広告配信手段から前記広告データを配信され当該広告データを表示するウェブサイトを開設するウェブサーバを備え、
前記ウェブサーバは、予め設定されたタイミングにて順次異なるコメントデータを表示する機能を有する、ことを特徴とする請求項５記載の広告配信システム。
【請求項８】
前記ウェブサーバは、
前記ウェブサイトに表示された前記広告データの表示箇所に、当該表示箇所を選択することにより他のアドレス先にアクセスすることが可能なようリンク機能を含めると共に、
このリンク機能を有する前記広告データの表示箇所が選択されたときに当該広告データとして現在表示されているコメントデータを記憶して当該コメントデータ毎の選択回数を集計する選択広告集計機能を備えた、
ことを特徴とする請求項７記載の広告配信システム。
【請求項９】
ネットワークを介して接続されたユーザ端末に電子メールを用いて広告データを配信する広告配信手段を備えた広告配信システムにおいて、
前記ユーザ端末を管理するユーザの特性を表すユーザ属性データを記憶するユーザ属性データ記憶手段と、
前記広告データを配信する業者の宣伝対象に対するコメントを、前記ユーザ属性データに基づいて前記ユーザ端末に対して要求すると共に、当該ユーザ端末から返信されたコメントデータに前記ユーザ属性データを関連付けて記憶するコメントデータ収集手段と、を備え、
前記広告配信手段は、前記コメントデータに関連付けられている前記ユーザ属性データに含まれるユーザ特性と一致するユーザ特性を有する他のユーザを前記ユーザ属性データ記憶手段に記憶されたユーザ属性データに基づいて抽出して、この抽出されたユーザのユーザ端末に対して広告データとして前記コメントデータを配信する機能を有する、
ことを特徴とする広告配信システム。
【請求項１０】
複数のウェブサイトに表示される広告データを、広告配信用の一又は二以上のコンピュータを用いて前記ウェブサイトに配信する広告配信方法であって、
前記コンピュータが、前記広告データを配信する業者の宣伝対象に対するコメントを、ネットワークを介して接続されたユーザ端末を管理するユーザの特性を表すユーザ属性データに基づいて当該ユーザ端末に対して要求すると共に、当該ユーザ端末から返信されたコメントデータを前記ユーザ属性データに関連付けて記憶するコメントデータ収集工程と、
前記コンピュータが、前記ウェブサイトが閲覧されることを希望するユーザの特性を表すサイト属性データが予め記憶されたサイト属性データ記憶手段内から、収集した前記コメントデータに関連付けられている前記ユーザ属性データに含まれるユーザ特性と一致する情報を含むサイト属性データを抽出する属性一致サイト抽出工程と、
前記コンピュータが、抽出されたサイト属性データに対応するウェブサイトに当該ウェブサイト上に表示する広告データとして前記コメントデータを配信する広告配信工程とを有する、
ことを特徴とする広告配信方法。
【請求項１１】
複数のウェブサイトに表示される広告データを、広告配信用の一又は二以上のコンピュータを用いて前記ウェブサイトに配信する広告配信方法であって、
前記コンピュータが、前記広告データを配信する業者の宣伝対象に対するコメントを、ネットワークを介して接続されたユーザ端末に対して要求して、当該ユーザ端末から返信されたコメントデータを収集すると共に、当該コメントデータを返信したユーザの特性を表すユーザ属性データを前記ユーザ端末から取得して前記コメントデータに関連付けて記憶するコメントデータ収集工程と、
前記コンピュータが、前記ウェブサイトが閲覧されることを希望するユーザの特性を表すサイト属性データが予め記憶されたサイト属性データ記憶手段内から、前記コメントデータ収集工程にて記憶した前記コメントデータに関連付けられている前記ユーザ属性データに含まれるユーザ特性と一致する情報を含むサイト属性データを抽出する属性一致サイト抽出工程と、
前記コンピュータが、抽出されたサイト属性データに対応するウェブサイトに当該ウェブサイト上に表示する広告データとして前記コメントデータを配信する広告配信工程と、
を有することを特徴とする広告配信方法。
【請求項１２】
ネットワークを介して接続されたユーザ端末に、広告配信用の一又は二以上のコンピュータを用いて電子メールにて広告データを配信する広告配信方法であって、
前記コンピュータが、前記広告データを配信する業者の宣伝対象に対するコメントを、前記ユーザ端末を管理するユーザの特性を表すユーザ属性データに基づいて前記ユーザ端末に対して要求して、当該ユーザ端末から返信されたコメントデータを前記ユーザ属性データに関連付けて記憶するコメントデータ収集工程と、
前記コンピュータが、前記コメントデータに関連付けられている前記ユーザ属性データに含まれるユーザ特性と一致するユーザ特性を有する他のユーザを前記ユーザ属性データ取得工程にて取得したユーザ属性データに基づいて抽出する属性一致ユーザ抽出工程と、
前記コンピュータが、抽出されたユーザのユーザ端末に対して広告データとして前記コメントデータを配信する広告配信工程と、を有する、
ことを特徴とする広告配信方法。
【請求項１３】
複数のウェブサイトに表示される広告データを当該ウェブサイトに配信する一又は二以上の広告配信用コンピュータに、
前記ウェブサイトが閲覧されることを希望するユーザの特性を表すサイト属性データを記憶するサイト属性データ記憶手段、
ネットワークを介して接続されたユーザ端末を管理するユーザの特性を表すユーザ属性データが予め記憶されたデータベースから当該ユーザ属性データを取得するユーザ属性データ取得手段、
前記広告データを配信する業者の宣伝対象に対するコメントを、前記ユーザ属性データに基づいて前記ユーザ端末に対して要求して、当該ユーザ端末から返信されたコメントデータを前記ユーザ属性データに関連付けて記憶するコメントデータ収集手段、
前記コメントデータに関連付けられている前記ユーザ属性データに含まれるユーザ特性と一致する情報を含む前記サイト属性データを抽出して、この抽出されたサイト属性データに対応するウェブサイトに当該ウェブサイト上に表示する広告データとして前記コメントデータを配信する広告配信手段、
とを実現するための広告配信用プログラム。
【請求項１４】
複数のウェブサイトに表示される広告データを当該ウェブサイトに配信する一又は二以上の広告配信用コンピュータに、
前記ウェブサイトが公開の対象とするユーザの特性を表すサイト属性データを記憶するサイト属性データ記憶手段、
前記広告データを配信する業者の宣伝対象に対するコメントを、ネットワークを介して接続されたユーザ端末に対して要求して、当該ユーザ端末から返信されたコメントデータを収集すると共に、当該コメントデータを返信したユーザの特性を表すユーザ属性データを前記ユーザ端末から取得して前記コメントデータに関連付けて記憶するコメントデータ収集手段、
前記コメントデータに関連付けられている前記ユーザ属性データに含まれるユーザ特性と一致する情報を含む前記サイト属性データを抽出して、この抽出されたサイト属性データに対応するウェブサイトに当該ウェブサイト上に表示する広告データとして前記コメントデータを配信する広告配信手段、
とを実現するための広告配信プログラム。
【請求項１５】
ネットワークを介して接続されたユーザ端末に電子メールを用いて広告データを配信する一又は二以上の広告配信用コンピュータに、
前記ユーザ端末を管理するユーザの特性を表すユーザ属性データが予め記憶されたデータベースから当該ユーザ属性データを取得するユーザ属性データ取得手段、
前記広告データを配信する業者の宣伝対象に対するコメントを、前記ユーザ属性データに基づいて前記ユーザ端末に対して要求して、当該ユーザ端末から返信されたコメントデータを前記ユーザ属性データに関連付けて記憶するコメントデータ収集手段、
前記コメントデータに関連付けられている前記ユーザ属性データに含まれるユーザ特性と一致するユーザ特性を有する他のユーザを前記ユーザ属性データ取得手段にて取得したユーザ属性データに基づいて抽出して、この抽出されたユーザのユーザ端末に対して広告データとして前記コメントデータを配信する広告配信手段、
とを実現するための広告配信用プログラム。
【発明の詳細な説明】
【技術分野】
【０００１】
本発明は、広告配信システムにかかり、特に、ウェブサイトに表示される広告データ、あるいは、電子メールにてユーザ端末に送信される広告データ、を配信する広告配信システムに関する。また、その方法及びプログラムに関する。
【背景技術】
【０００２】
企業が自社の商品やサービスについての宣伝広告を行う媒体として、テレビコマーシャルや新聞、そして、近年ではインターネット上に開設されるウェブサイトがある。このウェブサイト上でのバナー広告は、当該広告にリンクが張られており、バナー広告部分をクリックすると広告を出している企業のホームページが表示されるよう設定され、商品などの詳細情報をユーザに迅速に伝えることができ効果的な宣伝方法である。
【０００３】
そして、上記ウェブサイトに表示されるバナー広告のクリック率を高めることで、その広告宣伝効果は益々高まるため、そのための技術が下記の特許文献１，２に開示されている。
【０００４】
【特許文献１】特開２００２−７８５４
【特許文献２】特開２００２−３１１８７３
【発明の開示】
【発明が解決しようとする課題】
【０００５】
しかしながら、ウェブサイトでのバナー広告はその表示部分が小さく、また、ユーザは広告を見るためではなくウェブサイトの内容を閲覧するためにアクセスしているため、当該バナー広告はユーザの注意に止まることが少ない。すなわち、バナー広告のクリック率がいぜんとして低く、広告表示の効果を高めることが困難である。これは、まず第１に、バナー広告ではその表示スペースが限られているために宣伝内容をユーザに伝えることが困難であるということによる。すなわち、バナー広告表示では単に商品の名称や写真、あるいは、短い文章でのキャッチコピーでそのイメージをユーザに示す訳であるが、クリック率の向上にはなかなか結びつかない。また第２に、広告表示するウェブサイトを閲覧するユーザ層が、必ずしも宣伝広告の対象となっていない、という問題がある。これは、ある程度はウェブサイトの内容に応じて広告表示を行っているが、不特定多数のユーザがアクセスするウェブサイトでは特定のユーザ層に効率よく広告表示を行うことは困難であり、広告表示の無駄が生じうる。
【０００６】
一方で、事前に興味あるジャンルをユーザに個人情報として登録してもらい、かかる情報に基づいて広告メール配信を行うという「オプトインメール広告」も利用されている。しかし、広告を出す企業の一方的な内容が表示された広告では、広告内容情報の信憑性が低く、宣伝効果には限界がある。
【０００７】
このため、本発明では、ユーザに対して効率よく広告データを閲覧させることができ、これにより、広告宣伝効果の向上を図ることができる広告配信システムを提供することをその目的とする。
【課題を解決するための手段】
【０００８】
そこで、本発明では、複数のウェブサイトに表示される広告データを当該ウェブサイトに配信する広告配信手段を備えた広告配信システムにおいて、
ウェブサイトが閲覧されることを希望するユーザの特性を表すサイト属性データを記憶するサイト属性データ記憶手段と、
ネットワークを介して接続されたユーザ端末を管理するユーザの特性を表すユーザ属性データを記憶するユーザ属性データ記憶手段と、
広告データを配信する業者の宣伝対象に対するコメントを、ユーザ属性データに基づいてユーザ端末に対して要求すると共に、当該ユーザ端末から返信されたコメントデータにユーザ属性データを関連付けて記憶するコメントデータ収集手段と、を備え、
広告配信手段は、コメントデータに関連付けられているユーザ属性データに含まれるユーザ特性と一致する情報を含むサイト属性データを抽出して、この抽出されたサイト属性データに対応するウェブサイトに当該ウェブサイト上に表示する広告データとしてコメントデータを配信する機能を有する、という構成を採っている。
【０００９】
また、別の構成として、本発明は、複数のウェブサイトに表示される広告データを当該ウェブサイトに配信する広告配信手段を備えた広告配信システムにおいて、
ウェブサイトが閲覧されることを希望するユーザの特性を表すサイト属性データを記憶するサイト属性データ記憶手段と、
広告データを配信する業者の宣伝対象に対するコメントを、ネットワークを介して接続されたユーザ端末に対して要求して、当該ユーザ端末から返信されたコメントデータを受信すると共に、当該コメントデータを返信したユーザの特性を表すユーザ属性データをユーザ端末から取得してコメントデータに関連付けて記憶するコメントデータ収集手段と、を備え、
広告配信手段は、コメントデータに関連付けられているユーザ属性データに含まれるユーザ特性と一致する情報を含むサイト属性データを抽出して、この抽出されたサイト属性データに対応するウェブサイトに当該ウェブサイト上に表示する広告データとしてコメントデータを配信する機能を有する、という構成を採っている。
【００１０】
このような構成にすることにより、まず、ユーザの特性を表すユーザ属性データに基づいてユーザ端末に対して商品等についてのコメントが要求され、ユーザによるコメントデータがシステムにて取得される。このとき、コメントデータに当該コメントを発したユーザのユーザ特性（例えば、性別や年代、趣味など）が関連付けられて記憶される。あるいは、任意のユーザ端末に対してコメントデータが要求され、コメントデータの返信と共にユーザ特性も取得され、これらが関連付けられて記憶される。続いて、コメントデータに関連付けられたユーザ特性と一致する情報が、広告を配信するウェブサイトの公開対象となるユーザの特性として記憶されたサイト属性データ中に存在するか否かが調べられる。そして、一致するサイト属性データが抽出され、このサイト属性に対応するウェブサイトに対して、コメントデータを含んだ広告データが配信される。その後は、配信されたウェブサイトに、広告データとしてコメントデータも表示される。その結果、コメントを発したユーザの特性と、ウェブサイトの公開対象となるユーザの特性とが一致するため、共通点を有するユーザに対してある商品やサービスについてのコメントが表示されることから、当該ウェブサイトを閲覧したユーザがそのコメントに共感する可能性が高く、これにより、広告データが注目される可能性が高まり、さらには、広告データを選択して広告主のサイトにアクセスされることが期待される。従って、広告表示の効率化を図ることができる。
【００１１】
また、上記構成に加えて、広告配信手段は、コメントデータ収集手段にて収集されたコメントデータのうち、外部入力により選択されたコメントデータのみを広告データとして配信する、という構成にすると望ましい。これにより、広告を表示する業者に取って集客を見込めるコメントデータを選択することができ、さらなる広告宣伝効果の向上を図ることができる。
【００１２】
また、広告配信手段にて配信する広告データに含まれるコメントデータに、当該コメントを発したユーザの特性を表すユーザ属性データを含める、という構成にすると望ましい。これにより、コメントデータがいかなるユーザによるものかということを広告（コメントデータ）を閲覧するユーザが知ることができ、閲覧するユーザが自分に近い特性を有するユーザからのコメントに共感されることを期待でき、さらなる広告宣伝効果の向上を図ることができる。
【００１３】
また、広告配信手段は、コメントデータを複数含んだ広告データを配信する、という構成にすると望ましい。これにより、あらゆるユーザのコメントデータを広告として表示することができるため、あらゆるユーザに興味が持たれる広告表示とすることができ、これにより、さらなる広告宣伝効果を発揮することができる。
【００１４】
また、広告配信手段から広告データを配信され当該広告データを表示するウェブサイトを開設するウェブサーバを備え、
ウェブサーバは、予め定められたコメント表示領域内においてコメントデータをスクロールさせて表示する機能を有する、という構成にすると望ましい。
【００１５】
また、上記ウェブサーバは、予め設定されたタイミングにて順次異なるコメントデータを表示する機能を有する、という構成にすると望ましい。これにより、広告データとしてコメントデータが配信されたウェブサーバにて、ウェブサイト上に長いコメントデータや、複数のコメントデータを表示することもできる。従って、コメントデータのテキスト量やコメント数自体を制限する必要がなく、あらゆるコメントデータに対応することができる。
【００１６】
また、ウェブサーバは、
ウェブサイトに表示された広告データの表示箇所に、当該表示箇所を選択することにより他のアドレス先にアクセスすることが可能なようリンク機能を含めると共に、
このリンク機能を有する広告データの表示箇所が選択されたときに当該広告データとして現在表示されているコメントデータを記憶して当該コメントデータ毎の選択回数を集計する選択広告集計機能を備えた、という構成にすると望ましい。これにより、いかなるコメントデータが閲覧したユーザの注意を引いたか、共感を持たせたか、あるいは、逆に注意を引かなかったか、ということを広告配信業者側が知ることができ、その後の広告宣伝行為の際の参考とすることができる。
【００１７】
また、本発明の別の構成として、ネットワークを介して接続されたユーザ端末に電子メールを用いて広告データを配信する広告配信手段を備えた広告配信システムにおいて、
ユーザ端末を管理するユーザの特性を表すユーザ属性データを記憶するユーザ属性データ記憶手段と、
広告データを配信する業者の宣伝対象に対するコメントを、ユーザ属性データに基づいてユーザ端末に対して要求すると共に、当該ユーザ端末から返信されたコメントデータにユーザ属性データを関連付けて記憶するコメントデータ収集手段と、を備え、
広告配信手段は、コメントデータに関連付けられているユーザ属性データに含まれるユーザ特性と一致するユーザ特性を有する他のユーザをユーザ属性データ記憶手段に記憶されたユーザ属性データに基づいて抽出して、この抽出されたユーザのユーザ端末に対して広告データとしてコメントデータを配信する機能を有する、という構成を採っている。
【００１８】
このような構成にすることにより、コメントデータを発したユーザの特性と一致する特性を有するユーザに対して、電子メールにて広告データであるコメントデータが配信される。これにより、上述同様に、メールを閲覧したユーザがそのコメントに共感する可能性が高く、広告データに注目する可能性が高まる。その結果、広告表示の効率化を図ることができる。
【００１９】
また、本発明では、以下のような方法の発明をも提供している。
【００２０】
まず、方法の発明の一の構成として、複数のウェブサイトに表示される広告データを、広告配信用の一又は二以上のコンピュータを用いてウェブサイトに配信する広告配信方法であって、
コンピュータが、広告データを配信する業者の宣伝対象に対するコメントを、ネットワークを介して接続されたユーザ端末を管理するユーザの特性を表すユーザ属性データに基づいて当該ユーザ端末に対して要求すると共に、当該ユーザ端末から返信されたコメントデータをユーザ属性データに関連付けて記憶するコメントデータ収集工程と、
コンピュータが、ウェブサイトが閲覧されることを希望するユーザの特性を表すサイト属性データが予め記憶されたサイト属性データ記憶手段内から、収集したコメントデータに関連付けられているユーザ属性データに含まれるユーザ特性と一致する情報を含むサイト属性データを抽出する属性一致サイト抽出工程と、
コンピュータが、抽出されたサイト属性データに対応するウェブサイトに当該ウェブサイト上に表示する広告データとしてコメントデータを配信する広告配信工程とを有する、という構成を採っている。
【００２１】
また、別の構成として、複数のウェブサイトに表示される広告データを、広告配信用の一又は二以上のコンピュータを用いてウェブサイトに配信する広告配信方法であって、
コンピュータが、広告データを配信する業者の宣伝対象に対するコメントを、ネットワークを介して接続されたユーザ端末に対して要求して、当該ユーザ端末から返信されたコメントデータを収集すると共に、当該コメントデータを返信したユーザの特性を表すユーザ属性データをユーザ端末から取得してコメントデータに関連付けて記憶するコメントデータ収集工程と、
コンピュータが、ウェブサイトが閲覧されることを希望するユーザの特性を表すサイト属性データが予め記憶されたサイト属性データ記憶手段内から、コメントデータ収集工程にて記憶したコメントデータに関連付けられているユーザ属性データに含まれるユーザ特性と一致する情報を含むサイト属性データを抽出する属性一致サイト抽出工程と、
コンピュータが、抽出されたサイト属性データに対応するウェブサイトに当該ウェブサイト上に表示する広告データとしてコメントデータを配信する広告配信工程と、
を有する、という構成を採っている。
【００２２】
さらに、別の構成として、ネットワークを介して接続されたユーザ端末に、広告配信用の一又は二以上のコンピュータを用いて電子メールにて広告データを配信する広告配信方法であって、
コンピュータが、広告データを配信する業者の宣伝対象に対するコメントを、ユーザ端末を管理するユーザの特性を表すユーザ属性データに基づいてユーザ端末に対して要求して、当該ユーザ端末から返信されたコメントデータをユーザ属性データに関連付けて記憶するコメントデータ収集工程と、
コンピュータが、コメントデータに関連付けられているユーザ属性データに含まれるユーザ特性と一致するユーザ特性を有する他のユーザをユーザ属性データ取得工程にて取得したユーザ属性データに基づいて抽出する属性一致ユーザ抽出工程と、
コンピュータが、抽出されたユーザのユーザ端末に対して広告データとしてコメントデータを配信する広告配信工程と、を有する、という構成を採っている。
【００２３】
さらに、本発明では、上述した構成の広告配信システムを一又は二以上のコンピュータにて実現するための広告配信用プログラムをも提供している。
【００２４】
このような方法あるいはプログラムの発明であっても、上述同様に動作するため、上記目的を達成することができる。
【発明の効果】
【００２５】
本発明は、以上説明したように構成され機能するので、これによると、ウェブサイトを閲覧するユーザの特性と一致する他のユーザにて発せられたコメントデータが、当該ウェブサイト上の広告として表示されるため、かかる広告のコメントに共感する可能性が高く、これにより、広告データが注目される可能性が高まり、広告表示の効率化を図ることができる。
【発明を実施するための最良の形態】
【００２６】
本発明は、以下の特徴を有している。まず、広告を配信する企業が、予め広告対象となる商品等についての感想であるコメントをユーザに求め、このコメントデータと共にそのユーザのユーザ属性を記憶する。また、広告を表示するウェブサイトが閲覧されることを希望するユーザの属性、すなわち、ウェブサイトが公開の対象とするユーザの属性をも記憶している。そして、コメントデータを発したユーザの属性と、ウェブサイトの公開対象であるユーザの属性とが一致する場合に、当該ウェブサイトに広告としてコメントデータを配信して表示する。これにより、ウェブサイトを閲覧するユーザに共感を与えることが可能なコメントデータを含む広告が配信されることとなる。
【００２７】
以下、上記特徴を実現するための構成を、実施例を参照して説明する。
【実施例１】
【００２８】
本発明の第１の実施例を、図１乃至５を参照して説明する。図１乃至図２は、本発明の構成を示すブロック図である。図３乃至図４は、本発明の動作を示すシーケンス図である。図５は、広告表示の一例を示す説明図である。
【００２９】
〈構成〉
まず、広告配信システムの構成を説明する。図１は、広告配信システムの全体構成を示すブロック図である。
【００３０】
本発明である広告配信システムは、複数のウェブサイトＷに表示される広告データを当該ウェブサイトＷに配信するシステムであり、主に、図１に示す広告配信サーバ１にて構成される。また、この広告配信サーバ１には、ネットワークを介してデータベースサーバ４が接続されている。さらには、ウェブサイトを開設するウェブサーバＷとユーザ端末Ｕとが接続されている。但し、広告配信システムは、広告配信サーバ１のみで構成されることに限定されず、データベースサーバ４やウェブサーバＷをも含めて構成してもよい。また、後に詳述する広告配信サーバ１に構築される各処理部は、複数のコンピュータに分散して構築されてもよい。すなわち、広告配信サーバ１による機能は複数のコンピュータにて実現されてもよい。以下、各構成について詳述する。
【００３１】
〈ユーザ端末〉
ユーザ端末Ｕは一般ユーザが管理するパーソナルコンピュータや、ＰＤＡ、携帯電話などの情報処理端末である。そして、ネットワークＮ接続機能を有していて、後述するウェブサーバＷにアクセスしてウェブサイトを閲覧する機能や、データベースサーバ４にアクセスして、ユーザ自身の住所、年齢、性別、年収、職業、趣味などの個人特性データから成るユーザ属性データを登録する機能を有する。なお、ユーザ端末Ｕからユーザ属性データとして登録されるデータとしては、ユーザのメールアドレスや電子決済を行うための口座情報なども含まれる。
【００３２】
また、ユーザ端末Ｕは、ユーザが個人でウェブサイトを開設している場合には、そのウェブサイトが閲覧されることを希望するユーザの特性、すなわち、公開対象とするユーザの特性データから成る個人サイト属性データを登録する機能を有する。この個人サイト属性データは、例えば、ウェブサイトを閲覧してほしいユーザの性別、年齢層、職業、居住地域、年収、趣味などであり、上記ユーザ属性データの項目とほぼ一致する。なお、この個人サイト属性データには、そのウェブサイトへのアクセスデータであるＵＲＬをも含む。
【００３３】
さらに、ユーザ端末Ｕは、ユーザがメールマガジンを発行している、あるいは、登録している場合には、そのメールマガジンの特性データ、例えば、その内容や対象性別、年齢層などの上記ユーザ属性データの項目と同様の項目を有する個人メールマガジン属性データを登録する機能を有する。なお、この登録するデータには、もちろんメールマガジンのメールアドレスをも含む。
【００３４】
〈データベースサーバ〉
続いて、データベースサーバ４は、上記ユーザ端末Ｕから個人情報を取得してデータベースとして蓄積するサーバである。例えば、会員登録したユーザから、自己の端末Ｕを介して上記ユーザ属性データ、個人サイト属性データ、個人メールマガジン属性データなどの個人情報が送信されると、これらの属性データを各ユーザに関連付けて記憶し、各種データベース（ユーザ属性データベース４１，個人サイト属性データベース４２，個人メルマガ属性データベース４３）を構築する。
【００３５】
また、このデータベースサーバ４は、後述する広告配信サーバ１からの要求に応じて記憶している各種データベース４１，４２，４３内のデータを送信する機能を有している。
【００３６】
〈広告配信サーバ〉
広告配信サーバ１は、所定のウェブサイトＷに表示するよう広告を配信する業者（企業）が所有するサーバコンピュータであって、演算装置であるＣＰＵ１０、記憶装置であるハードディスク２０やＲＡＭ（図示せず）、ネットワークＮ上の他のコンピュータとの通信を実現する通信部３０、を備えた一般的なコンピュータである。
【００３７】
そして、ＣＰＵ１０には、広告配信用のプログラムが組み込まれることによって、以下の各処理部が実現される。また、これに伴い、ハードディスク２０には各記憶部が形成されると共に、予め種々のデータが記憶されている。このことを、図２を参照して詳述する。
【００３８】
広告サーバ１のＣＰＵ１０には、広告配信サイト設定部１１、属性データ取得部１２、コメントデータ収集手段としてのコメント要求ユーザ選定部１３とコメントデータ収集部１４、広告配信手段としてのコメント選択部１５と広告配信部１６、が構築されている。
【００３９】
広告配信サイト設定部１１は、バナー広告を表示することを決定したウェブサーバＷに対して広告表示設定を行う。例えば、オペレータからの入力指示に基づいて、広告データを配信するウェブサーバＷのサイトアドレスや、配信先アドレスを設定する。あるいは、逆に、広告配信サーバ１からウェブサーバＷにて自動的に広告データが取得されるよう設定してもよい。
【００４０】
属性データ取得部１２は、まず、上記広告表示を行うと設定したウェブサーバＷに対してそのウェブサイトが閲覧されることを希望するユーザの特性を表すサイト属性データを要求し、これに応じて返信されたデータをハードディスクに記憶する。あるいは、ウェブサイトの運営者から通知された当該ウェブサイトの公開対象として想定しているユーザの特性をオペレータが広告配信サイト１に入力することで、サイト属性データを取得し記憶する。従って、ハードディスク２０には広告配信サイト属性データベース（ＤＢ）２３（サイト属性データ記憶手段）が構築されている。具体的には、サイト属性データは、上述した個人サイト属性データと同様に、例えば、ウェブサイトを閲覧してほしいユーザの性別、年齢層、職業、居住地域、年収、趣味などであり、上記ユーザ属性データの項目とほぼ一致する。そして、もちろんのこと、ウェブサイトのタイトルやアクセスするためのアドレスデータも共に記憶されている。
【００４１】
また、属性データ取得部１２は、上記データベースサーバ４に記憶されたユーザ属性データベース４１，個人サイト属性データベース４２，個人メルマガ属性データベース４３を取得して、ハードディスク２０に格納しておく（ユーザ属性データ記憶部２４、個人サイト属性データ記憶部２５、個人メルマガデータ記憶部（図示せず））。なお、これらのデータの詳細は、上述したとおりである。
【００４２】
コメント要求ユーザ選定部１３は、上記ユーザ属性データ記憶部２４内のユーザ属性データに基づいて、広告配信サーバ１を運営する業者（広告データを配信する業者）の宣伝対象商品やサービスに対するコメントを要求するユーザ、すなわち、ユーザ端末Ｕを選定する。このとき、予めハードディスク２０には、広告配信サーバ１を運営する業者の企業情報（企業情報データベース（ＤＢ）２１）や広告対象となる商品やサービスに関する情報（広告対象データベース（ＤＢ）２２）が記憶されていて、これらも参照して選定される。例えば、企業情報として業種に関する情報が記憶されている場合には、その業種に関連のある「趣味」のユーザ特性を有し、かつ、広告対象となる商品の販売ターゲットに関する情報として性別や年代が記憶されている場合には、その「性別」や「年代」のユーザ特性を有するユーザを、ユーザ属性データ記憶部２４から選定する。なお、上記選定方法は一例であって、その他のユーザ属性データに含まれる項目に基づいてコメントを要求するユーザを選定してもよい。
【００４３】
また、コメント要求ユーザ選定部１３にて選定されたユーザのユーザ属性データは、コメントデータ収集部１４に通知され、これに基づいてユーザにコメントが要求される。このとき、ユーザ属性データには、そのユーザのユーザ端末Ｕへのアドレス（例えば、電子メールアドレスなど）が含まれており、かかるアドレスデータに基づいてコメントの要求がなされる。また、コメント要求時には、もちろん、企業情報やコメントを求める対象となる広告対象となる商品などの情報もユーザ端末Ｕに送信される。そして、この要求に応じて返信された企業や商品等に関するコメントデータを受信して、当該コメントデータをハードディスク２０のコメントデータ記憶部２６に格納する。このとき、コメントデータを送信したユーザのユーザ属性データに関連付けて記憶する。すなわち、収集したコメントデータ毎に、このコメントを発したユーザの特性（性別や年代、趣味など）を関連付けて記憶する。なお、コメントデータを提供してくれたユーザに対しては、ユーザ属性データに含まれる口座データなどを参照して、コメントデータ提供料として報酬を与えるよう電子的に決済処理を行う。広告配信サーバ１は、このような電子決済機能も有する。
【００４４】
そして、上述のように収集されたコメントデータは、コメント選択部１５に渡され、当該コメント選択部１５は、その一覧を広告配信サーバ１に表示し、表示された一覧に対して一又は二以上のコメントデータを選択する情報がオペレータから入力部を介して入力されると、これを受け付ける。そして、この選択されたコメントデータと関連付けられているユーザ特性データとを広告配信部１６に通知する。
【００４５】
広告配信部１６は、上記広告配信サイト設定部１１にて設定されたウェブサイトに、バナー広告にコメントデータを含めた広告データ、あるいは、コメントデータのみからなる広告データを配信する。具体的には、上記コメント選択部１５にて選択された一又は二以上のコメントデータに、それぞれ各コメントを発したユーザのユーザ属性データを含めて配信する。但し、このとき、全てのウェブサイトに配信する訳ではなく、広告配信サイト属性データベース２３や個人サイト属性データ記憶部２５内のサイト属性データを読み出し、コメントデータに関連付けられたユーザ属性データ中の項目と、サイト属性データ中の項目とが一致する場合に、そのサイト属性データに対応するウェブサーバＷに対して配信する。すなわち、コメントデータを発したユーザの特性とウェブサイトが公開対象としているユーザの特性とが、一つでも共通する場合に、そのウェブサイトに広告としてコメントデータを表示する。
【００４６】
なお、広告配信処理は、ウェブサーバＷに対して直接配信してもよく、あるいは、広告配信サーバ１内の所定の領域に格納しておくことでウェブサーバＷにて必要なときに自動的に取得されることにより配信してもよい。
【００４７】
〈ウェブサーバ〉
ウェブサーバＷは、上記広告配信サーバ１から配信されたコメントデータを含む広告データを、ウェブサイト上に表示する。その表示例を図５に示す。
【００４８】
この図に示すように、ウェブサイト画面上には、符号Ｒａに示すバナー広告表示領域と、符号Ｒｂに示すテキスト広告表示領域とが形成されている。なお、図５では、これら各広告表示領域Ｒａ，Ｒｂを拡大して図示する。
【００４９】
そして、バナー広告表示領域Ｒａにはリンクが設定されており、例えば、この広告を出している広告配信サーバ１を管理する企業のホームページにアクセス可能なＵＲＬ、あるいは、メールアドレスにリンクしている。さらに、バナー広告表示領域Ｒａには、バナー表示部Ｒａａとコメント表示部Ｒａｂとが形成されている。このコメント表示部Ｒａｂには、上記広告配信サーバ１から配信されたコメントデータがスクロールされて表示される。例えば、図５に示すように、「アレンジ、テクニックどれをとっても今までの最高の仕上がりに思える（２６才・男性）」というコメントデータと、年齢・性別からなるユーザ属性データとが表示される。なお、広告配信サーバ１からコメントデータが複数配信された場合には、これら複数のコメントデータが順次、スクロールされて表示される。
【００５０】
また、テキスト広告表示領域Ｒｂには、テキストのみによる広告データが表示されるが、複数のコメントデータが広告配信サーバ１から配信された場合には、予め設定されたタイミングにて順次、コメントデータが切り替わって表示される。例えば、一定の時間が経過すると異なるコメントデータが表示されたり、あるいは、表示画面が更新される毎に異なるコメントデータが表示されるよう設定されている。なお、テキスト広告表示領域Ｒｂも、上記バナー広告表示領域Ｒａ同様に、広告主である企業のホームページなどにリンクされている。
【００５１】
さらに、ウェブサーバＷには、上述したように表示したバナー広告（バナー広告表示領域Ｒａ）やテキスト広告（テキスト広告表示領域Ｒｂ）が閲覧されているユーザにクリックされると、そのクリック回数を集計する機能が備えられている（選択広告集計機能）。この機能は、特に、クリックされたときにコメント表示部Ｒａｂに流れているコメント、あるいは、テキスト広告表示領域Ｒｂに表示されているコメントも記憶し、コメント毎のクリック回数も集計する。そして、後に、その集計結果を広告配信サーバ１に送信する。
【００５２】
〈動作〉
次に、上述した広告配信システムにおける動作を、図３乃至図４を参照して説明する。図３は、システム全体の動作を示すシーケンス図であり、図４は、広告配信サーバ１の動作の一部を示すフローチャートである。
【００５３】
まず、ユーザ端末Ｕは、予めデータベースサーバ４に対して個人属性の登録を行う（ステップＡ１）。このとき、個人属性とは上述したユーザ属性データや個人サイト属性データなどであり、このほかにも、自己の端末へのメールアドレスなどの連絡先や、コメントを提供したことによる報酬の振り込み先に関するデータも登録する。そして、これを受けたデータベースサーバ４は、各データベース４１，４２，４３を構築する（ステップＢ１）。
【００５４】
また、広告配信サーバ１は、任意のタイミングにて、自社が広告を出すウェブサイトを決定し、当該ウェブサイトを開設するウェブサーバＷに対して広告表示のための設定を行う（ステップＣ１）。このとき、予め種々のウェブサイト（ウェブサーバ）から当該サイトのサイト属性データを記憶しており、これに基づいてウェブサイトの決定及び広告表示のための設定を行ってもよい。但し、本実施例では、先に広告配信を行う業者が広告表示を行うことを希望するウェブサイトを検索して、上記広告配信設定を行った後に、当該ウェブサイトがねらいとする閲覧対象ユーザの特性を表すサイト属性データをウェブサーバＷから取得して（ステップＤ１）、記憶する（ステップＣ２）。
【００５５】
また、広告配信サーバ１は、任意のタイミングにて、データベースサーバ４に各種データベース４１，４２，４３を要求し（ステップＣ３）、これに応じてデータベースサーバ４から送信された各種データベースを取得する（ステップＢ１，ステップＣ４）。そして、ユーザ属性データベース４１と広告配信サーバ１内に記憶された企業情報データベース２１や広告対象データベース２２とに基づいて、コメントを要求するユーザを選定する（ステップＣ５）。例えば、広告対象製品のターゲットとなるユーザ特性（例えば、ある年齢層）を有するユーザを抽出する（図４のステップＳ１）。
【００５６】
続いて、選定したユーザの端末Ｕに対して、広告対象商品あるいは企業自体についてのコメントを要求し（ステップＣ６、図４のステップＳ２）、これに応じて返信されたコメントデータを受信する（ステップＡ２、図４のステップＳ３にて肯定判断）。このとき、コメントデータに、これを発したユーザの特性を表すユーザ属性データを関連付けて記憶する（ステップＣ７、図４のステップＳ４、コメントデータ収集工程）。
【００５７】
続いて、コメントデータ一覧を広告配信サーバ１上に表示し、この中から広告を配信する企業にとって優位なコメントがオペレータにて選択されるのを待つ（図４にてステップＳ５）。そして、コメントを選択する入力があると（図４のステップＳ５で肯定判断）、この選択されたコメントデータを抽出する（ステップＣ８、図４のステップＳ６）。
【００５８】
続いて、選択されたコメントデータに関連付けられているユーザ属性データとその特性項目が一つでも一致するウェブサイトを、サイト属性データを参照して抽出する（図４のステップＳ７、属性一致サイト抽出工程）。このとき、個人サイト属性データ記憶部２５内のデータも参照して、属性が一致する個人のウェブサイトも抽出する。そして、抽出されたウェブサイトを開設するウェブサーバＷに、コメントデータを含む広告データを配信する（ステップＣ９、図４のステップＳ８、広告配信工程）。
【００５９】
そして、その後、あるいは、ステップＣ７にてユーザ端末Ｕからコメントデータを受信した後に、当該ユーザに対してコメント提供に対する謝礼を指定口座に振り込むなど、電子決済を行う（ステップＣ１０）。
【００６０】
続いて、広告データの配信を受けたウェブサーバＷでは広告表示を行う（ステップＤ２、図５の表示例を参照）。このとき、複数のコメントデータがある場合には、一定の時間間隔や、ページが切り替わる毎に、異なるコメントデータが表示される。そして、ウェブサイトに表示された広告データが閲覧しているユーザにて選択されると、そのときの履歴が記憶される（ステップＤ３）。このとき、選択された際に表示されているコメントデータ別の選択回数も集計される。そして一定期間が経過すると、コメントデータ毎の広告クリック数を集計したデータが広告配信サーバ１あるいは広告を配信した企業の担当者に通知される（ステップＤ４）。
【００６１】
このようにすることにより、コメントを発したユーザの特性と、ウェブサイトの公開対象となるユーザの特性とが一致する場合に、当該ウェブサイトにコメントデータを含めた広告表示をするため、広告を閲覧したユーザがそのコメントに共感する可能性が高まり、広告データに注目が集まり、これにより、クリック率の向上など、広告表示の効率化を図ることができる。また、収集したコメントデータを選択することで、広告を表示する業者に取って集客を見込めるコメントデータのみを選択することができ、さらなる広告宣伝効果の向上を図ることができる。
【００６２】
また、コメントにユーザの特性を表すデータを含めることで、いかなるユーザにより発せられたコメントであるか、ということを広告を閲覧するユーザが知ることができ、閲覧するユーザが自分に近い特性を有するユーザによるものである場合には、コメントに対する強い共感を期待でき、さらなる広告宣伝効果の向上を図ることができる。
【００６３】
ここで、上記説明では、一般ユーザのユーザ属性データは予め用意されたデータベースサーバ４にて集める、例えば、何らかの会員システムにてユーザ属性データベースを構築し、これを広告配信サーバ１が取得して用いる、という構成を説明したが、かかる構成に限定されない。例えば、広告配信サーバ１が開設するウェブサイト上で所定の商品や企業自体に対するコメントデータを求め、これに応じてコメントデータを送信してきたユーザ端末に対してユーザ属性データの登録も求め、これにより収集してもよい。このようにしても、コメントデータ収集部１４にてコメントデータとこれを発したユーザのユーザ特性を関連付けて記憶することができ、上述同様に、公開対象ユーザの特性が一致するウェブサーバＷに広告表示をすることができる。
【実施例２】
【００６４】
次に、本発明の第２の実施例を、図６を参照して説明する。図６は、本実施例における広告データとなる電子メールの一例を示す図である。
【００６５】
本実施例では、上記実施例１の場合と異なり、広告配信サーバ１が電子メールにてユーザ端末Ｕに直接広告を配信する、というシステムである。このため、特に、広告配信サーバ１のＣＰＵ１０に構築される広告配信部１６の構成が異なる。なお、その他の構成はほぼ上述したものと同様である。
【００６６】
本実施例における広告配信部１６は、収集したコメントデータに関連付けられているユーザ属性データに含まれるユーザ特性と一致するユーザ特性を有する他のユーザを、データベースサーバ４から取得したユーザ属性データに基づいて抽出する。そして、この抽出されたユーザのユーザ端末に対して（当該ユーザの電子メールアドレスに対して）広告データとしてコメントデータを配信する機能を有する。
【００６７】
また、データベースサーバ４に登録されている個人メルマガ属性データベース４３を参照して、個人が発行しているメールマガジンの属性と、上記コメントデータの属性とが一致する場合に、そのメールマガジンにコメントデータを含んだ広告データを含めて電子メールにて配信する。そのメールの一例を、図６（ａ），（ｂ）に示す。
【００６８】
このようにしても、コメントデータを発したユーザと同一属性のユーザに対してメールにてコメントデータを含む広告データを配信することができ、かかるコメントに共感される可能性が高まり、広告宣伝効果の向上を図ることができる。
【産業上の利用可能性】
【００６９】
本発明は、ネットワーク上のウェブサイトに対して集客効果の高い広告データを自動的に配信する、あるいは、ユーザ端末に直接電子メールとして広告データを配信するシステムとして企業サーバに組み込むことができ、産業上の利用可能性を有する。
【図面の簡単な説明】
【００７０】
【図１】本発明の構成の概略を示すブロック図である。
【図２】広告配信サーバの構成を示す機能ブロック図である。
【図３】本発明の全体的な動作を示すシーケンス図である。
【図４】広告配信サーバの動作の一部を示すフローチャートである。
【図５】ウェブサーバに表示される広告データの一例を示す説明図である。
【図６】図６（ａ），（ｂ）は、それぞれユーザ端末に配信される広告メールの一例を示す説明図である。
【符号の説明】
【００７１】
１  広告配信サーバ
４  データベースサーバ
１１  広告配信サイト設定部
１２  属性データ取得部
１３  コメント要求ユーザ選定部（コメントデータ収集手段）
１４  コメントデータ収集部（コメントデータ収集手段）
１５  コメント選択部（広告配信手段）
１６  広告配信部（広告配信手段）
２３  広告配信サイト属性データベース（サイト属性データ記憶手段）
２４  ユーザ属性データ記憶部（ユーザ属性データ記憶手段）
４１  ユーザ属性データベース（ユーザ属性データ記憶手段）
【図１】
2005284113.tif 000003
【図２】
2005284113.tif 000004
【図３】
2005284113.tif 000005
【図４】
2005284113.tif 000006
【図５】
2005284113.tif 000007
【図６】
2005284113.tif 000008